(57)【要約】【課題】従来のさっしはクレセントのハンドルの部分が防御されていない、室外から見てもクレセントのハンドルが丸見えで隠されていない為防犯になっていない、又重い内障子戸を軽量化して高齢者にも使いやすくする事である。【解決手段】  外障子召し合わせ框を巾広く大型化しクレセントのハンドル部とクレセント受けを隠して防御する共に、大型化した外障子召し合わせ框に因って強度を得た、その為に内障子召し合わせ框を軽量化できた、因って内障子と外障子の重量差が無くなり使い安くなった。【選択図】  図５
2006057262.tif 000002
【特許請求の範囲】
【請求項１】
内障子の召し合わせ框に取り付けられたクレセント錠と、外障子の召し合わせ框に取り付けられたクレセント受けとが、外障子召し合わせ框より短い、内障子召し合わせ框より幅広の外障子召し合わせ框の構造を持った引き戸サッシ。
【発明の詳細な説明】
【技術分野】
【０００１】
本発明は、アルミサッシの引き違い戸、片引き戸、嵌め殺し付き引き戸に用いるサッシ
【背景技術】
【０００２】
従来の引き違いサッシ窓には、内障子にクレセント、外障子にクレセント受けを設けてクレセントの掛け部を、クレセント受けの固定部に冠着きせて、内障子と外障子を連結して固定したものであるが、従来のサッシはクレセント錠及びクレセント受けが、ガラスを通して室外から確認出来るため、ガラスを破りクレセント錠を解錠し易い特に戸建て住宅への侵入犯は７割以上にのぼる。
【０００３】
引き違いサッシ窓は住宅の他にビルや店舗、倉庫等の殆どの建物に使われている、それは装飾サッシと比べたら値段が安く経済的である、しかしながら欠点はドライバー等の工具でガラスを割って、室外からクレセントのハンドル部分を押し戻せば解錠できる、勿論クレセント錠には二重ロックや補助錠なども備わっているが鍵の掛け忘れが以外と多い。
【０００４】
引き違いサッシの特性は外障子と内障子の召し合わせ框にある、第一にクレセントとクレセント受けで戸締りをし、第二はクレセント受けに掛け部を冠着させることで台風等の大きな風圧に耐えることである、普通外障子の外に網戸がくるので内障子の框を大型化して対応している、因ってどうしても内障子の開け閉めが外障子に比べて重くなる。
【特許文献１】特願２００４−４８２２３
【０００５】
私が２００４年２月２４日出願した特許は、クレセント受けを大型化してクレセントのハンドル部を防御したものである、今回の出願はそれを更に進めて外障子の召し合わせ框を幅広に大型化した、その結果クレセント錠を上下どの位置に取り付けてもハンドル部は防御できる引き戸サッシ。
【発明の開示】
【発明が解決しようとする課題】
【０００６】
解決しようとする問題点は、クレセントのハンドル部をクレセント受けが室外から見て丸見えであるために、外障子の召し合わせ框で隠して防御するのが目的である。
【０００７】
もう一つの問題点は、外障子と内障子の重量差が大きいのでその差を少なくするのが目的である。
【課題を解決するための手段】
【０００８】
本発明は従来のクレセント錠の技術をそのまま活用したが、内障子と外障子の召し合わせ框をまったく新しい考えで作れば次のような利点を複数有する。
【０００９】
サッシに嵌まったガラスを室外からドライバー等の工具で割ろうとしても、外障子の召し合わせ框の幅が広いため、クレセント錠並びにクレセント受けを防御しているのでガラスを割ってもクレセント錠を解錠して侵入出来ない。
【００１０】
従来のサッシでは外障子は軽いが内障子は非常に重かった、それは内障子の召し合わせ框が極端に重いためである、サッシ戸の開閉において外障子の軽さに対して内障子は必要以上に重い、本発明はそれをほぼ等しくすることが目的である。
【００１１】
大風に対するサッシの強度は、サッシ枠の強度、外障子の召し合わせ框の強度、内障子の召し合わせ框の強度、ガラスの強度等がプラスされた総合の力で対処している、本発明においては外障子召し合わせ框を大型化するかわり、内障子の召し合わせ框を軽量化した又大型テラス戸（図２）においては上下二箇所にクレセント錠を取り付けることにより、サッシの強度を確実なものにすることが出来る、そしてクレセント錠を何処に取り付けても外障子の幅広い框で防御される。
【発明の効果】
【００１２】
幅広い外障子召し合わせ框は防犯に強く、外から見てもクレセント錠が隠れているためサッシの美観も優れたものがある。
【００１３】
引き違いサッシの内障子と外障子の重量バランスが取れるため、内障子も外障子もサッシの開閉がスムーズに動く。
【発明を実施するための最良の形態】
【００１４】
本発明の外障子召し合わせ框６に取り付けられたクレセント受け１１と、内障子召し合わせ框５に取り付けられたクレセント錠１２は、外障子召し合わせ框６に完全に隠されている、尚内障子側が室内で、外障子が室外となる、（図３−図７）
【実施例１】
【００１５】
引き戸サッシ（スライディングドア）は上枠２１とレール付き下枠２２それに左右縦枠２０の四つからなり、四隅をタッピングビスで固定して組み立ててある、その中を内障子と外障子を滑らせて開閉する、戸締りはクレセント受け１１の固定部９に、クレセント錠１２の掛け部１３をハンドル８を回動させて冠着する、尚窓サッシには補助錠１８を設けた（図１）、高さのあるテラスサッシはクレセント錠１２を上下二箇所に取り付けた。（図２）
【００１６】
図３に示すように内障子の召し合わせ框５の寸法L２と、それに取り付けられたクレセント錠１２のL３の寸法を加えても、外障子の召し合わせ框６の寸法L１より短いので外障子６の中に完全に隠れてしまう、不法侵入者にはクレセント錠１２が何処にあるのか分かりにくい、又ドライバー等の工具でこじ開けにくい、尚図６、図７は複層ガラスを用いた引き戸サッシを示す。
【００１７】
従来のテラス戸サッシは益々大型化し高さが高く成るほど、台風の時は召し合わせ框５と６に集中する、外に網戸が来るため外障子召し合わせ框６は大きく出来ない、その為内障子召し合わせ框５を大型化した、その結果内障子の開閉が必要以上に重い、本発明は外障子召し合わせ框６幅広に大型化し、逆に内障子召し合わせ框５を軽量化した事により内外の障子の重さをほぼ同じに出来た、その上クレセント錠の１２とクレセント受け１１を隠して防御出来るメリットを合わせ持った構造の引き戸サッシである。
【００１８】
外障子召し合わせ框６の室内側に逃げ孔１７を切り明け、クレセント受け１１Eを框の中空部分の上下からスライドさせながら、長穴１６の位置に定着してクレセント受け１１Eのネジ穴１４に小ネジ１５で右回ししながら固定する、これは逃げ孔１７を設けることにより、外障子召し合わせ框６の奥行き寸法を小さくコンパクトにできる。（図８）
【産業上の利用可能性】
【００１９】
ガラスを破って侵入者の犯罪が年々増えている事は、深刻化する大きな社会問題であるしかしながらサッシに求められる性能はそれだけではない、先ずはサッシ自体に強度が無いといけない、それに省エネのため複層ガラスを使用する事が多くなった、これからは高齢者が使うことが多くなるのでサッシの開閉は軽い方がのぞましい、サッシには総合性能が求められている。
【図面の簡単な説明】
【００２０】
【図１】サッシ窓の内観図
【図２】テラスサッシの同じく内観図
【図３】クレセント受けにクレセント錠を掛けたところを示す平面図
【図４】同じく正面図
【図５】同じく見取り図
【図６】複層ガラス（ペアガラス）を使用したサッシの平面図
【図７】同じく正面図
【図８】逃げ孔を持った外召し合わせ框の見取り図
【符号の説明】
【００２１】
１サッシ
２ガラス
３ビートゴム
４ドライバー
５内障子召し合わせ框
６外障子召し合わせ框
７ストッパー
８ハンドル
９固定部
１０カバー部
１１クレセント受け
１１Eクレセント受け
１２クレセント錠
１３掛け部
１４ネジ穴
１５小ネジ
１６長穴
１７逃げ孔
１８補助錠
１９
２０サッシ縦枠
２１サッシ上枠
２２レール付き下枠
２３戸当たり
２４下残
２５上残
【図１】
2006057262.tif 000003
【図２】
2006057262.tif 000004
【図３】
2006057262.tif 000005
【図４】
2006057262.tif 000006
【図５】
2006057262.tif 000007
【図６】
2006057262.tif 000008
【図７】
2006057262.tif 000009
【図８】
2006057262.tif 000010